(57)【特許請求の範囲】
【請求項１】
テレビジョン信号が第１の信号として入力されるとともに、このテレビジョン信号よりも垂直帰線幅が狭くかつ前記垂直帰線幅の相違する複数種の第２の信号が入力される受像装置において、
前記入力された信号の種別を判別する入力判別手段と、
前記入力された信号の水平、垂直同期信号を分離抽出する信号処理手段と、
前記信号処理手段によって抽出された水平、垂直同期信号に基づき、表示手段の偏向コイル電流を制御する水平および垂直偏向手段と、
前記垂直偏向手段に供給する電源電圧を垂直帰線帰還に上昇設定するポンプアップ手段とを具備し、
前記ポンプアップ手段は、第１のポンプアップ回路と第２のポンプアップ回路とを備え、前記第２の信号の入力に対応して前記第２のポンプアップ回路からの電圧を制御し、前記入力判別手段による判別結果に応じて、前記第１のポンプアップ回路からの電圧に前記第２のポンプアップ回路からの電圧が加算された電圧を前記垂直偏向手段の電源電圧として供給するようにしたことを特徴とするマルチメディアテレビ受像装置。
【請求項２】
前記第１および第２のポンプアップ回路はそれぞれ充電制御される第１および第２のコンデンサを備え、垂直帰線幅の広い信号の入力に対応して前記第１のコンデンサの充電電圧のみが前記垂直偏向手段に供給され、この信号よりも垂直帰線幅の狭い信号の入力に対応して、前記第１のコンデンサに前記第２のコンデンサが直列に接続され、これら第１および第２のコンデンサのそれぞれ充電電圧が加算されてポンプアップ電圧として前記垂直偏向手段に供給されるようにした請求項１記載のマルチメディアテレビ受像装置。
【請求項３】
前記第２のポンプアップ回路は、入力される第２の信号の種類に対応したコントロール信号が供給される電圧制御手段を備え、この電圧制御手段で設定された出力電圧に基づき前記第２のコンデンサが充電されるようにした請求項２記載のマルチメディアテレビ受像装置。
【請求項４】
前記第１のコンデンサは電源電圧によって充電され、ポンプアップ電圧切換え信号により制御される第１のスイッチ回路を介して前記垂直帰線幅の広い信号の入力に対応したポンプアップ電圧を出力し、前記第２のコンデンサは前記入力される第２の信号の種類に対応したコントロール信号が供給される電圧制御手段からの出力電圧に対応して充電され、前記第１のスイッチ回路により第１のコンデンサと直列に接続されると共に、前記ポンプアップ切換え信号で制御される第２のスイッチ回路を介して前記垂直帰線幅の狭い信号の入力に対応したポンプアップ電圧を出力するようにした請求項２記載のマルチメディアテレビ受像装置。
【請求項５】
前記電圧制御手段は、ベース電圧が前記入力される第２の信号の識別結果に基づいて制御されるトランジスタを含んで構成される請求項３に記載のマルチメディアテレビ受像装置。
【請求項６】
前記入力判別手段は、入力される信号の偏向周波数もしくは同期信号の極性を判別する入力信号形態識別手段を備え、この入力信号形態識別手段からの識別出力に基づき前記入力された第２の信号の種類を判別し、前記ポンプアップ電圧が切換え選択されるようにした請求項１記載のマルチメディアテレビ受像装置。
【請求項７】
前記入力判別手段は、入力された信号の水平周波数とその正負極性、および同期信号の形態に基づいて前記入力された第２の信号を識別し、前記ポンプアップ電圧が切換え選択されるようにした請求項１記載のマルチメディアテレビ受像装置。
【請求項８】
前記第１および第２のポンプアップ回路はそれぞれ充電制御される第１および第２のコンデンサを備え、入力信号の走査期間に前記第１および第２のコンデンサが直列に接続されて電源電圧で充電され、さらに前記第２のコンデンサはフライバックトランスのフライバック電圧により充電されるようにしてなり、前記垂直帰線幅の広い信号の入力に対応して前記第１のコンデンサの充電電圧がポンプアップ電圧として出力され、垂直帰線幅の狭い信号の入力に対応して前記第１および第２のコンデンサの充電電圧の加算電圧がポンプアップ電圧として出力されようにした請求項１記載のマルチメディアテレビ受像装置。
【発明の詳細な説明】
【０００１】
【発明の属する技術分野】
この発明は、通常のＮＴＳＣ方式のテレビジョン信号、パソコンからの映像信号等の、周波数や特に帰線期間の相違する信号が入力され、これら入力信号を共通のＣＲＴ表示器において表示させるようにしたマルチメデイアテレビ受像装置に関する。
【０００２】
【従来の技術】
テレビ、ビテオ、ＣＡＴＶ、レーザディスク等の多彩な映像メディアのみに限らず、各種のパソコン（ＣＤ−ＲＯＭを内蔵したマルチメディアパソコン等）の映像を、１台の受像装置で写し出すことのできるマルチメデイア対応のカラーテレビジョン再生装置が要求されている。この様なカラーテレビジョン再生装置にあっては、一般のテレビ放送やビデオ再生器等からの映像信号（ＮＴＳＣ信号）と、パソコン等からの映像信号（ＲＧＢ信号）が選択的に入力される。
【０００３】
ここで、パソコンから入力される映像信号は、テレビやビデオの映像信号と比較して情報量が多く、その映像信号は周波数帯域が広いものであり、その帰線期間も相違する。例えば帰線期間は、ＮＴＳＣ信号にあっては１０８０μｓであるのに対して、パソコンからの映像信号の帰線期間は、６００μｓと短いものであり、その差が大きい。このため、特にパソコンからの映像信号をＣＲＴ表示器において再生する場合、ＣＲＴ表示器の偏向ヨークによる帰線動作を円滑に行わせるために、帰線期間中の偏向電圧の波高値を高くするポンプアップ制御を行うことが考えられている。
【０００４】
すなわち、帰線期間中の偏向ヨーク電流を、“−１／２iyp-p ”から“＋１／２iyp-p ”に短時間に復帰させ、走査期間よりも高いポンプアップ電圧を、帰線期間において偏向ヨークに供給するようにしている。ここで、偏向ヨーク電圧を走査期間中においてポンプアップして高く設定すると、出力段の損失が増加するようになり、したがって帰線期間のみにポンプアップ電圧が印加されるようにする。
【０００５】
図７は従来のポンプアップ回路を備えた垂直回路の例を示すもので、電源電圧Ｖccは逆流防止用のダイオードＤ1 を介して、直列的に接続した垂直出力回路を構成するトランジスタＱ1 およびＱ2 に供給する。これらトランジスタＱ1 およびＱ2 は垂直ドライブ信号で制御され、偏向ヨークＤＹに対して垂直偏向信号が供給される。また、ダイオードＤ1 からの出力はコンデンサＣ1 を充電するもので、このコンデンサＣ1 は入力信号の走査期間において切換えスイッチＳＷを介して接地される。この切換えスイッチＳＷは帰線期間においてコンデンサＣ1 が電源Ｖccに接続されるようにする。
【０００６】
この様なポンプアップ回路において、走査期間にあっては切換えスイッチＳＷが図で示すようにコンデンサＣ1 を接地回路に接続し、コンデンサＣ1 に対して“Ｖcc−ＶF ”とほぼＶccの電圧が充電され、同時に偏向ヨークＤＹに対しては電源電圧Ｖccが印加設定される。これに対して、帰線期間にあっては切換えスイッチＳＷが切換えられ、コンデンサＣ1 の放電電圧が出力段に対して加算供給されるようになり、電源電圧Ｖccに対して“Ｖcc−ＶF ”の電圧が  加算されたほぼ２Ｖccの電圧が出力段に印加され、短時間に“＋１／２iyp-p ”の電圧に復帰される。
【０００７】
ところで、パソコン等の映像信号が入力された場合、垂直偏向周波数や帰線期間が異なるため、パソコン等の映像信号が入力されたときは、帰線期間におけるポンプアップ電圧を、ＮＴＳＣ信号の入力されるときの“２×Ｖcc”よりも高くする必要がある。このために従来においては次のような方法で対応している。
【０００８】
ａ）ポンプアップ電圧を常に“Ｖcc×３”倍程度の電圧とする。
ｂ）ポンプアップ電圧をＮＴＳＣ信号の場合と同様に“Ｖcc×２”倍とし、偏向ヨークのインダクタンスを小さくする。
ｃ）偏向感度の悪い偏向ヨークの場合帰線期間が広くなり、垂直偏向電流が信号の走査期間にまで入り込み、画面上に折り返しが生ずるようになるため、垂直出力回路の出力段のパルスを利用してブランキングを掛ける。
【０００９】
しかし、ａ）の手段では損失が大きくなり、ｂ）の場合には偏向ヨークのインダクタンスが小さいため偏向ヨーク電流が大きくなり、したがって出力段の損失並びに偏向ヨークの温度上昇が高くなる。また、ＮＴＳＣ時とパソコン時では帰線期間が異なるため垂直の画面位置が（センター）上部にシフトし、このため図８で示すようなセンタリング回路を付加して補正する必要がある。図８においては、直流電圧（Ｖcc）を抵抗回路（Ｒ2 〜Ｒ4 ）で分圧し、かつトランジスタ  Ｑ3 、Ｑ4 を介して垂直偏向ヨークＤＹに直流成分を供給して画面位置を調整するようにしている。そして、ｃ）の場合は絵柄期間である走査期間が減少するようになり、必然的に情報量に制約が生ずる。
【００１０】
図９は垂直同期信号部分を取り出して示すもので、（Ａ）図において設定される垂直帰線期間内で垂直帰線期間が設定される。ここで、ＮＴＳＣ信号の場合はこの垂直帰線期間が１０８０μｓであり、パソコン等にあっては垂直帰線期間が６００μｓに設定される。そして、垂直偏向信号は（Ｂ）図で示すようにこの垂直帰線期間に対応して構成されるもので、例えば偏向感度の悪い偏向ヨークの場合には帰線期間が広くなり、ａでに示すように映像信号の絵柄部にまで入り込む状態とされる。
【００１１】
【発明が解決しようとする課題】
この発明は上記のような点に鑑みなされたもので、不定な入力信号の周波数に対して最適なポンプアップ電圧を供給することができ、特にパソコンからの映像信号のように帰線期間の幅の狭い場合においても、走査期間に影響を与えることなく垂直走査が行われるようにするポンプアップ手段を改良したマルチメディアテレビ受像装置を提供しようとするものである。
【００１２】
【課題を解決するための手段】
この発明に係るマルチメディアテレビ受像装置は、テレビジョン信号が第１の信号として入力されるとともに、このテレビジョン信号よりも垂直帰線幅が狭くかつ垂直帰線幅の相違する複数種の第２の信号が入力される受像装置において、入力された信号の種別を判別する入力判別手段と、入力された信号の水平、垂直同期信号を分離抽出する信号処理手段と、信号処理手段によって抽出された水平、垂直同期信号に基づき、表示手段の偏向コイル電流を制御する水平および垂直偏向手段と、垂直偏向手段に供給する電源電圧を垂直帰線帰還に上昇設定するポンプアップ手段とを具備し、ポンプアップ手段は、第１のポンプアップ回路と第２のポンプアップ回路とを備え、第２の信号の入力に対応して第２のポンプアップ回路からの電圧を制御し、入力判別手段による判別結果に応じて、第１のポンプアップ回路からの電圧に第２のポンプアップ回路からの電圧が加算された電圧を垂直偏向手段の電源電圧として供給するようにしたものである。
【００１３】
ここで、第１および第２のポンプアップ手段は、電源電圧で充電される第１のコンデンサと第２の入力信号に基づく状態で充電される第２のコンデンサによって構成され、特に帰線期間の小さい信号の入力に対応して、第１および第２のコンデンサの電圧が加算されてポンプアップ電圧とされ、偏向ヨークに対して印加されるようにする。
【００１４】
この様に構成されるポンプアップ手段を備えたマルチメディアテレビ受像装置にあっては、例えばＮＴＳＣ信号の入力時には第１のコンデンサのみの放電電圧がポンプアップ電圧として偏向ヨークに印加され、またパソコンからの映像信号の入力時には第１および第２のコンデンサの放電電圧の加算電圧がポンプアップ電圧として偏向ヨークに印加され、帰線期間の小さい信号に対応して、絵柄部分に影響を与えることなく円滑な垂直走査がされる。この場合、第２のコンデンサに対する充電電圧を制御することにより、例えば電源電圧の３倍のポンプアップ電圧を出力段に印加することができる。
【００１５】
【発明の実施の形態】
以下図面を参照してこの発明の一実施の形態を説明する。図１はマルチメディアテレビ受像装置の概略的な構成を示すもので、アンテナ11で受信されたテレビ放送電波はチューナ12に入力され、このチューナ12からの出力信号、さらにＶＴＲで再生された外部入力映像信号等は、第１の入力切換えスイッチ13に入力される。そして、この切換えスイッチ13で選択されたＮＴＳＣ信号はＮＴＳＣ信号処理回路14に供給するもので、信号処理回路14は入力されたＮＴＳＣ信号の輝度調整、コントラスト、色相等の調整処理や、入力ＮＴＳＣ信号から水平（Ｈ）および垂直（Ｖ）信号を分離する同期分離を行い、入力ＮＴＳＣ信号に基づく水平および垂直同期信号ＨおよびＶを出力する。
【００１６】
そして、このＮＴＳＣ信号処理回路14からの出力は、第２の入力切換えスイッチ15に供給され、この切換えスイッチ15で選択された信号は、ＣＲＴドライブ回路16を介してディスプレイ17のＣＲＴ表示管171 に入力される。
【００１７】
また、入力されるパソコン等のコンピュータ映像信号（ＲＧＢ信号）は、ＲＧＢ信号処理回路18に供給される。この処理回路18では入力ＲＧＢ信号をＮＴＳＣ信号と同様の処理を行って、この入力ＲＧＢ信号の水平（Ｈ）および垂直同期信号（Ｖ）を出力する。そして、このＲＧＢ信号処理回路17からの出力は第２の切換えスイッチ15に入力し、この切換えスイッチ15でＮＴＳＣ信号処理回路14からの出力信号との選択処理が行われる。すなわち、この第２の切換えスイッチ15にあっては、入力される信号がＮＴＳＣ信号であるか、コンピュータ信号であるかによって制御される。
【００１８】
ここで、コンピュータ信号の同期信号の形態は、表１で例示されるようにコンピュータの表示モードによって相違するもので、その表示モードに対応して偏向周波数、同期信号の極性等が様々に相違する。
【００１９】
【表１】
0003683969.tif 000002
【００２０】
同期信号処理回路19に対しては、ＲＧＢ処理回路18で出力されるコンピュータ信号（ＲＧＢ信号）の同期信号ＨおよびＶを入力し、表１で示されるどのパソコン信号であるか識別し、且つ極性判別や周波数（ＨおよびＶの周波数）を検出する。そして、この同期信号処理回路19からの出力によって水平Ｈおよび垂直Ｖの発振器20を制御するものであり、さらにマイクロコンピュータ21に制御指令を供給して、例えば第１および第２の切換えスイッチ13および15の切換え等の各種のコンピュータ制御が実行されるようにする。
【００２１】
同期信号処理回路19からの出力は、垂直（Ｖ）出力回路22さらに水平（Ｈ）出力回路23に供給され、垂直出力回路22には同期信号処理回路19からのポンプアップコントロール信号が供給され、ポンプアップ回路24からのポンプアップ電圧が垂直出力回路22に供給されている。そして、垂直出力回路22および水平出力回路23からのそれぞれ出力信号が、ディスプレイ17のＣＲＴに装備される偏向コイル172 に供給される。
【００２２】
図２は同期信号処理回路19部の詳細な構成を示すもので、グリーンビテオ信号は振幅分離回路31に入力し、その出力は切換えスイッチ32に供給する。また、ＮＴＳＣ信号の同期信号やパソコンからのコンポジット信号は極性処理回路33に入力し、その出力は切換えスイッチ32および有無検出回路34に供給する。そして、切換えスイッチ32にあっては、有無検出回路34の“無”の判別で振幅分離回路31からの出力を選択し、水平同期信号が出力されるようにする。またこの水平同期信号は周波数分離回路35に供給し、切換えスイッチ36に供給する。
【００２３】
垂直同期信号は極性処理回路37に入力し、切換えスイッチ36に周波数分離回路35からの出力と共に切換えスイッチ36に供給する。極性処理回路37からの出力はさらに有無検出回路38に供給し、その極性判定に対応した有無検出回路38からの出力で切換えスイッチ36を制御するもので、その“無”検出で切換えスイッチ36は周波数分離回路35からの出力を選択し、垂直同期信号として出力する。これらの水平および垂直同期信号は水平および垂直発振器20に供給される。
【００２４】
極性処理回路33および37のそれぞれからの出力信号は、極性判別回路39に供給され、その極性判別出力はマトリクス回路40に供給される。また、切換えスイッチ32および36からのそれぞれ水平および垂直同期信号は、それぞれ水平周波数（ＨＦ）検出回路41および垂直周波数（ＨＶ）検出回路42に供給し、これらの水平および垂直周波数検出回路41および42で検出された水平および垂直周波数信号は、マトリクス回路40に供給する。さらに、切換えスイッチ32および36からの水平および垂直同期信号は、同期信号識別回路43に供給し、その識別結果はマトリクス回路40に供給する。
【００２５】
極性判別回路39では、極性処理回路33および37からの正極性もしくは負極性の同期信号が入力され、その出力は一方極性（正極性）の同期信号を出力するものであり、マトリクス回路40ではＨＦ検出回路41およびＶＦ検出回路42からの水平および垂直周波数の極性、並びに同期信号識別回路43からの同期信号の形態（セパレートシンク、コンポジットシンク、シンクオングリーン等）により、少なくともその２つの組み合わせによって垂直ポンプアップ電圧コントロール信号を出力すると共に、ポンプアアップ電圧切換え信号を出力する。
【００２６】
図３はポンプアップ回路24の第１の実施例の構成を示すもので、電源電圧Ｖccは逆流防止用のダイオードＤ1 を介して第１のコンデンサＣ1 に充電電圧として供給され、このコンデンサＣ1 は第１の切換えスイッチＳＷ1 の可動接点に接続される。この切換えスイッチＳＷ1 の固定接点ａは接地され、固定接点ｂは第２のコンデンサＣ2 に接続されるもので、この第２のコンデンサＣ2 には電圧Ｖccの供給される電圧コントロール回路45からの出力電圧がダイオードＤ2 を介して充電電圧として供給される。
【００２７】
このコンデンサＣ2 は第２の切換えスイッチＳＷ2 の可動接点に接続され、この切換えスイッチＳＷ2 の固定接点ａは電源Ｖccに供給され、固定接点ｂは接地されている。すなわち、第１のコンデンサＣ1 を含む第１のポンプアップ回路46と、第２のコンデンサＣ2 を含む第２のポンプアップ回路47とが直列的に設定される。
【００２８】
ダイオードＤ1 の出力である電圧Ｖccは、垂直出力回路48に供給される。この垂直出力回路48は直列接続された出力トランジスタＱ1 およびＱ2 により構成されるもので、このトランジスタＱ1 およびＱ2 の相互接続点からの出力が、この垂直出力回路48の出力として取り出され、垂直偏向コイル49に供給される。
【００２９】
すなわち、ＲＧＢ信号の入力時にあっては同期信号処理回路19から出力される水平および垂直の同期信号のうち、例えばセパレートかコンポジットかシンクオングリーンかの同期信号の形態に基づき、いずれのパソコンからの信号が入力されたかを判別し、その判別結果を利用してポンプアップ電圧コントロール信号が発生される。このコントロール信号は、例えば垂直周波数に応じたパルス幅が異なるものであり、このパルス信号を直流化して電圧コントロール回路45を制御し、パルス信号の周波数が高くなるほど、ポンプアップ電圧コントロール回路45からの出力電圧が高くされる（最大Ｖccで最低が０）。
【００３０】
したがって、このポンプアップ電圧コントロール回路45からの出力電圧によって充電される第２のコンデンサＣ2 は、“０〜Ｖcc”の範囲で可変制御される。パソコンからの映像信号の入力時には第１の切換えスイッチＳＷ1 がａ接点に接続され、第２の切換えスイッチＳＷ2 はｂ接点に接続される。すなわち、第１のコンデンサＣ1 は電圧Ｖccで充電され、第２のコンデンサＣ2 は電圧コントロール回路45からの出力電圧に対応して充電される。このパソコン信号の入力時における帰線期間には、第１のスイッチＳＷ1 が固定接点ｂ側に切換えられ、第２のスイッチＳＷ2 が固定接点ａ側に切換えられて、第１および第２のコンデンサＣ1 およびＣ2 の充電電圧の加算値に対応する可変する電圧（２Ｖcc〜３Ｖcc）が、ポンプアップ電圧として帰線期間の垂直出力回路46に供給される。Ｃ3 は平滑コンデンサ、Ｒ1 は帰還抵抗である。
【００３１】
図４は電圧コントロール回路45の具体的な構成例を示すもので、（Ａ）図で示すようにトランジスタＱを備え、そのエミッタから出力電圧が出力されるようにする。そして、このトランジスタＱのベースには可変電圧源Ｅが接続され、この可変電圧源Ｅの電圧がコントロール信号によって可変制御される。また、（Ｂ）図で示すようにトランジスタＱのベースに複数のツェーナーダイオードを直列接続し、コントロール電圧切換え信号によって各ツェーナーダイオードの両端を選択的に短絡させ、トランジスタＱのベース電圧が可変制御されるようにしても良いもので、この直列接続されるツェナータイオードの数に応じて出力電圧が可変制御されるようにしている。
【００３２】
図５の（Ａ）はＮＴＳＣ信号の入力されるときのポンプアップ電圧の状態を示し、（Ｂ）図はパソコン信号の入力時におけるポンプアップ電圧を示し、パソコン信号の入力時には同期信号の周波数が高くなり、ポンプアップ電圧は周波数が高くなるほど帰線期間電圧が高くなり、帰線期間の幅も狭くなる。そして、この帰線期間のポンプアップ電圧も、２Ｖccと３Ｖccとの範囲で可変制御されるようになる。
【００３３】
図６はポンプアップ回路24の第２の実施例回路を示すもので、電源電圧ＶccはダイオードＤ1 を介して第１のコンデンサＣ1 に接続され、このコンデンサＣ1 は切換えスイッチＳＷ3 の可動接点に接続される。この切換えスイッチＳＷ3 は固定接点ａ〜ｃを備え、接点ａにはダイオードＤ2 を介してフライバックトランスＦＢＴが接続される。接点ｃは電源Ｖccに接続されている。また、電源Ｖccは垂直出力回路を構成するトランジスタＱ1 およびＱ2 の直列回路に接続され、このトランジスタＱ1 およびＱ2 の接続点には、偏向コイル49が接続される。
【００３４】
すなわち、入力信号の走査期間にあっては切換えスイッチＳＷ3 が接点ａに接続され、コンデンサＣ1 およびＣ2 が充電される。このとき、第２のコンデンサＣ2 はフライバックトランスＦＴＢの３次巻線に接続されて、ダイオードＤ2 を介してフライバックパルスにより負電圧−Ｖc で充電される。したがって、第１のコンデンサＣ1 の両端電圧は（Ｖcc−Ｄ1 ＶＦ＋Ｖc ）に充電され、Ｖcc＝Ｖc ならば約２Ｖccの電圧が充電される。そして、帰線期間には可動接点が切換えスイッチＳＷ3 の固定接点ｃに接続され、出力トランジスタＱ1 のコレクタに加わる電圧は約３倍の３Ｖccとされる。
【００３５】
ＮＴＳＣ信号の入力時には、切換えスイッチＳＷ3 の可動接点が固定接点ｂに接続され、このため走査期間には第１のコンデンサＣ1 が電源電圧Ｖccで充電される。そして、帰線期間にあっては切換えスイッチの可動接点が固定接点ｃに接続されて、“Ｖcc＋（Ｖcc−Ｄ1 ＶＦ）”の電圧が出力トランジスタＱ1 のコレクタに供給される。
なお、以上の説明は、一般のＴＶ信号としてＮＴＳＣ信号を例に述べたが、ＰＡＬ等の信号入力にも対応可能である。
【００３６】
【発明の効果】
以上のようにこの発明に係るマルチメディアテレビ受像装置によれば、不定な入力信号の周波数に対して最適なポンプアップ電圧を供給され、特にパソコンからの映像信号のように帰線期間の幅の狭い場合において、走査期間に影響を与えることなく垂直走査が行われる。
【図面の簡単な説明】
【図１】この発明の一実施の形態に係るマルチメディアテレビ受像装置を説明する構成図。
【図２】上記受像装置の同期信号処理回路を取り出して示す回路構成図。
【図３】同じく上記受像装置のポンプアップ回路の第１の実施例を説明する回路図。
【図４】（Ａ）および（Ｂ）はそれぞれ電圧コントロール回路の例を示す回路図。
【図５】（Ａ）および（Ｂ）はそれぞれＮＴＳＣ信号およびパソコン信号の入力時のポンプアップ電圧を説明する図。
【図６】上記ポンプアップ回路の第２の実施例を説明する回路図。
【図７】従来のポンプアップ回路を示す回路図。
【図８】同じく垂直センタリング回路を示す図。
【図９】（Ａ）は垂直同期信号を説明する図、（Ｂ）は偏向コイルに供給される信号を示す図。
【符号の説明】
11…アンテナ、121 チューナ、13、15…入力切換えスイッチ、14…ＮＴＳＣ処理回路、16…ＣＲＴドライブ回路、17…ディスプレイ、171 …ＣＲＴ表示管、  172 …偏向コイル、18…ＲＧＢ信号処理回路、19…同期信号処理回路、20…ＨＶ発振器、21…マイクロコンピュータ、31…振幅分離回路、32、36…切換えスイッチ、33、37…極性処理回路、34、38…有無検出回路、39…極性判別回路、40…マトリクス回路、41…ＨＦ検出回路、42…ＶＦ検出回路、43…同期信号識別回路、45…電圧コントロール回路、46、47…ポンプアップ回路、48…垂直出力回路、49…垂直偏向コイル、Ｄ1 、Ｄ2 …ダイオード、Ｃ1 、Ｃ2 …コンデンサ、      ＳＷ1 、ＳＷ2 …切換えスイッチ、Ｑ1 、Ｑ2 …トランジスタ。
【図１】
0003683969.tif 000003
【図２】
0003683969.tif 000004
【図３】
0003683969.tif 000005
【図４】
0003683969.tif 000006
【図５】
0003683969.tif 000007
【図６】
0003683969.tif 000008
【図７】
0003683969.tif 000009
【図８】
0003683969.tif 000010
【図９】
0003683969.tif 000011